(57)【要約】【解決手段】ジェット水の噴射向きを調整することのできるノズルを通常より下方へスイングさせ、握りを解除すると、ノズルを通常の向きに戻すことのできるトリム操作レバー装置２３は、トリム操作レバー４３を、握り位置にロックすることのできるレバーロック手段４４をステアリングハンドル１４に付設した。【効果】ステアリングハンドルを握っている手の指でトリム操作レバーを握るとほぼ同時に指でレバーロック手段のレバーを作動させてロックすることができる。従って、ノズルをスイングさせるための左手の操作回数を２回で済ませることができる。トリム操作レバーは操作力を大きくできるので、ノズルを素速くスイングさせることができる。【選択図】　　　　図３
2004098927.tif 000002
【特許請求の範囲】
【請求項１】
ジェット水を噴射するジェット推進機にジェット水の噴射向きを調整することのできるノズルを配置し、ステアリングハンドルに付設したトリム操作レバーを握ると、前記ノズルを通常より下方へスイングさせ、前記握りを解除すると、前記ノズルを通常の向きに戻すことのできる小型水上艇において、
前記トリム操作レバーを、握り位置にロックすることのできるレバーロック手段をステアリングハンドルに付設したことを特徴とする小型水上艇のトリム操作レバー装置。
【発明の詳細な説明】
【０００１】
【発明の属する技術分野】
本発明は小型水上艇のトリム操作レバー装置に関する。
【０００２】
【従来の技術】
従来のトリム操作レバー装置は、ステアリングハンドルの左に付設したハンドルグリップ自身を手で回すように構成している（例えば、特許文献１参照。）。
【０００３】
【特許文献１】
特開平９−２８１１３２号公報　（第５頁、図１６）
【０００４】
特許文献１を図面を参照の上、詳しく説明する。
図９は従来の左側グリップ部分の説明図である（特許文献１の図１６を写したもの。）。
従来の左側グリップ８ｂは、所定の角度位置に回動して、噴射口に設けたノズルデフレクタを上下に揺動（トリム角度を得る）させるもので、左側グリップ８ｂ自身を所定の角度位置にロックするためのトリガレバー９１を備える。所定の角度位置に回動操作することで、ノズルデフレクタのトリム角度をニュートラル位置（水平）、アップ位置（上向き）、ダウン位置（下向き）の何れかに設定することができる。回動操作は、まず、トリガレバー９１を引き込み、左側グリップ８ｂを所定の角度位置に回し、トリガレバー９１を離すと、左側グリップ８ｂがロックされる。
【０００５】
【発明が解決しようとする課題】
上記従来の左側グリップ８ｂでは、回動操作する際の手の動作に手間がかかる。具体的には、まず、人差し指でトリガレバー９１を引き（第１動作）、引き続き、左側グリップ８ｂを所定の角度位置に回し（第２動作）、最後に、人差し指をトリガレバー９１から離す（第３動作）。逆に、戻す際にも同様に第１〜第３の操作を行う。このように３回の操作が必要で手間がかかり、操作性が悪くなる。
また、左側グリップ８ｂの回動操作では、操作力を大きくし難いので、ノズルデフレクタを素速く上下に揺動させ難い。
【０００６】
そこで、本発明の目的は、ノズルをスイングさせるための左手の操作回数を２回で済ませることができ、ノズルを素速くスイングさせる小型水上艇のトリム操作レバー装置を提供することにある。
【０００７】
【課題を解決するための手段】
上記目的を達成するために請求項１は、ジェット水を噴射するジェット推進機にジェット水の噴射向きを調整することのできるノズルを配置し、ステアリングハンドルに付設したトリム操作レバーを握ると、ノズルを通常より下方へスイングさせ、握りを解除すると、ノズルを通常の向きに戻すことのできる小型水上艇において、トリム操作レバーを、握り位置にロックすることのできるレバーロック手段をステアリングハンドルに付設したことを特徴とする。
【０００８】
ステアリングハンドルを握っている左手の指でトリム操作レバーを握るとほぼ同時にその指でレバーロック手段のレバーを作動させてロックすることができる。従って、ノズルをスイングさせるための左手の操作回数は２回で済む。
さらに、トリム操作レバーは操作力を大きくできるので、ノズルを素速くスイングさせることができる。
【０００９】
【発明の実施の形態】
本発明の実施の形態を添付図に基づいて以下に説明する。なお、図面は符号の向きに見るものとする。
図１は本発明に係るリヤグリップ構造を用いた小型水上艇の側面図であり、小型水上艇１０は、ハル１２と、このハル１２の上に接合したデッキ１３で構成した艇体１１と、デッキ１３の略中央に配置したステアリングハンドル１４と、このステアリングハンドル１４の後部に設けるとともに、デッキ１３に載せたシート１５と、ハル１２の中央に取り付けた燃料タンク１６およびエンジン１７と、このエンジン１７に接続したジェット推進機としてのウォータージェット推進機１８と、ウォータージェット推進機１８の後方に設けたノズルとしてのステアリングノズル２１と、ステアリングノズル２１に接続したトリム操作ワイヤ２２と、トリム操作ワイヤ２２を連結するためにステアリングハンドル１４に付設したトリム操作レバー装置２３と、を備える。２４は艇首、２５はステアリングハンドル１４の真下に位置する軸線を示す。
ウォータージェット推進機１８は、ジェット水を噴射する。
【００１０】
図２は本発明に係るステアリングノズルの断面図であり、ステアリングノズル２１が通常の向きを向いている状態を示す。
ステアリングノズル２１は、ウォータージェット推進機１８にリング部材２６を下方向（矢印▲１▼の方向）に揺動可能に取り付け、このリング部材２６にノズル本体２７を左右方向（矢印▲２▼の方向）に揺動可能に取り付けたもので、ジェット水の噴射向きを調整する。
【００１１】
リング部材２６は、リング本体２８の左右（図の表裏）に第１受け部３１，３１（図に示していない）をウォータージェット推進機１８に連結するように形成し、上下に第２受け部３２，３３をノズル本体２７に連結するように形成した。３４は第２受け部３２に連結した押しワイヤ５７であり、θはリング部材２６とともにノズル本体２７が通常より下方へスイングしたときのトリムスイング角を示す。
【００１２】
図３は本発明に係るトリム操作レバー装置の斜視図であり、トリム操作レバー装置２３を操作していない状態を示す。トリム操作ワイヤ２２を連結したウォータージェット推進機のリング部材２６（図２参照）およびノズル本体２７（図２参照）は実線で示す通常の向きを向く。
【００１３】
トリム操作レバー装置２３は、ステアリングハンドル１４に止める支持部材４２と、この支持部材４２に揺動可能に取り付けたトリム操作レバーとしてのトリムレバー本体４３と、このトリムレバー本体４３をロックするレバーロック手段４４とからなる。
【００１４】
レバーロック手段４４は、トリムレバー本体４３を握り位置にロックするもので、トリムレバー本体４３に揺動可能に取り付けたロックレバー４７と、このロックレバー４７を掛止するようにトリムレバー本体４３に固定したばね板４８と、トリムレバー本体４３に形成した原点ストッパ４９と、支持部材４２に形成した掛止凸部５１と、からなる。
【００１５】
図４は本発明に係るトリム操作ワイヤの側面図であり、トリム操作ワイヤ２２は、トリム操作レバー装置２３（図３参照）に細く屈曲性に富む引きワイヤ５３の一端５４を連結し、この引きワイヤ５３の他端５５を押し引き変換器５６を介して、太く屈曲性に乏しい押しワイヤ５７の一端６１を連結し、この押しワイヤ５７の他端６２（図２参照）をノズルとしてのステアリングノズル２１（図２に参照）に連結し、ステアリングノズルを作動させる力を伝える。
【００１６】
引きワイヤ５３は、ワイヤケーブルアウタ６５と、インナワイヤ６６とからなる。インナワイヤ６６の線径はＤｆに設定した。
インナワイヤ６６の材質は、例えば、ステンレス鋼を用いる。
押しワイヤ５７は、ワイヤケーブルアウタ６７と、インナワイヤ６８とからなる。インナワイヤ６８の線径はＤｒに設定した。線径Ｄｒは、Ｄｒ＞Ｄｆである。
インナワイヤ６８の材質は、例えば、ステンレス鋼を用いる。
【００１７】
押し引き変換器５６は、ボックス７１内に変換リンクレバー７２を揺動可能に取り付け、変換リンクレバー７２に引っ張りばね７３を掛け、変換リンクレバー７２の一端に引きワイヤ５３のインナワイヤ６６を連結し、変換リンクレバー７２の他端に押しワイヤ５７のインナワイヤ６８を連結し、引きワイヤ５３の引き力を押しワイヤ５７に作用する押し力に変換する。なお、ボックス７１の一方に引きワイヤ５３のワイヤケーブルアウタ６５を固定し、ボックス７１の他方に押しワイヤ５７のワイヤケーブルアウタ６７を固定し、それぞれのインナワイヤ６６，６８を摺動させる。
【００１８】
押し引き変換器５６はまた、図１に示すように、小型水上艇１０のステアリングハンドル１４の真下に位置する軸線２５より艇首２４寄りに軸線２５から距離Ｌだけ離して配置した。なお、押し引き変換器５６の配置位置は、ステアリングハンドル１４の真下、すなわち、軸線２５の線上でもよい。
【００１９】
図５は本発明に係るトリム操作レバー装置およびトリム操作ワイヤの分解図であり、トリム操作レバー装置２３の支持部材４２と、この支持部材４２に揺動可能に取り付けるトリムレバー本体４３とを示すとともに、レバーロック手段４４のロックレバー４７と、ばね板４８と、トリムレバー本体４３に形成した原点ストッパ４９とを示す。
【００２０】
トリムレバー本体４３には、ロックレバー４７を取り付けるための小ねじ７４用のめねじ７５を形成し、ばね板４８を取り付けるための小ねじ７６用のめねじ７７を形成した。
ロックレバー４７には、一方に指を掛ける指掛け部７８を形成し、中央に凸部７９を形成し、他方に掛止凸部５１（図３参照）に掛かる掛止端部８１を形成した。
【００２１】
図５はまた、トリム操作ワイヤ２２の引きワイヤ５３と、押し引き変換器５６（ボックス７１、変換リンクレバー７２、引っ張りばね７３）と、押しワイヤ５７と、引きワイヤ５３の中央に設けた伸び調整手段８２を示す。
【００２２】
図６は本発明に係る伸び調整手段の断面図であり、伸び調整手段８２は、引きワイヤ５３のワイヤケーブルアウタ６５を２分割し、トリム操作レバー装置２３（図５参照）側に位置する第１ワイヤケーブルアウタ８３に調整ナット８４を取り付け、押し引き変換器５６（図５参照）側に位置する第２ワイヤケーブルアウタ８５に調整ボルト８６を取り付け、回り止めナット８７を用いたものである。Ｓは調整代を示す。
【００２３】
以上に述べた小型水上艇のトリム操作レバー装置の作用を次に説明する。
図３に示す使用していない状態のトリム操作レバー装置２３では、ロックレバー４７は、ロック解除の状態であり、ばね板４８がロックレバー４７の凸部７９を矢印▲３▼の如く押すことで、ロックレバー４７は原点ストッパ４９で止まり、一体的に密着した状態を維持する。
【００２４】
図３に示すトリムレバー本体４３の位置から左手の指でトリムレバー本体４３を矢印の如く握り始める。続きを次図で説明する。
図７は本発明に係るトリム操作レバー装置の第１作用図である。
トリムレバー本体４３を握り、握り位置（図７に示す状態）に達した時点で、指でロックレバー４７をばね板４８に抗して矢印▲４▼の如く押し出す。
【００２５】
図８は本発明に係るトリム操作レバー装置の第２作用図である。
ロックレバー４７を矢印▲４▼の如く押し出すと、ロックレバー４７の掛止端部８１が掛止凸部５１に当接するとともに、ロックレバー４７の中央の凸部７９にばね板４８のばね力が矢印▲５▼の如く作用するので、ロックレバー４７から指を離してもロックレバー４７は止まり、トリムレバー本体４３を握り位置にロックすることができる。従って、ステアリングノズル２１（図２参照）をスイングさせるための左手の操作回数を２回で済ませることができる。
【００２６】
ロックを解除する場合には、ロックレバー４７を握る。具体的には、指でロックレバー４７をばね板４８に抗して矢印▲６▼の如く握ると、ロックレバー４７の掛止端部８１は掛止凸部５１から離れるので、ロックを解除することができる。
【００２７】
さらに、トリム操作レバーは操作力を大きくできるので、ノズルを素速くスイングさせることができる。
【００２８】
尚、本発明の実施の形態に示したトリム操作レバー装置２３のトリムレバー本体４３をロックするレバーロック手段４４の構成は一例であり、他の機構でロックしたもよい。例えば、ピンの抜き差し機構やフックの掛け止め機構や支持部材４２とトリムレバー本体４３との間にロック部材を差し込む。
【００２９】
【発明の効果】
本発明は上記構成により次の効果を発揮する。
請求項１では、ジェット水の噴射向きを調整することのできるノズルを通常より下方へスイングさせ、握りを解除すると、ノズルを通常の向きに戻すことのできるトリム操作レバー装置は、トリム操作レバーを、握り位置にロックすることのできるレバーロック手段をステアリングハンドルに付設したので、ステアリングハンドルを握っている手の指でトリム操作レバーを握るとほぼ同時に指でレバーロック手段のレバーを作動させてロックすることができる。従って、ノズルをスイングさせるための左手の操作回数を２回で済ませることができる。
また、トリム操作レバーは操作力を大きくできるので、ノズルを素速くスイングさせることができる。
【図面の簡単な説明】
【図１】本発明に係るリヤグリップ構造を用いた小型水上艇の側面図
【図２】本発明に係るステアリングノズルの断面図
【図３】本発明に係るトリム操作レバー装置の斜視図
【図４】本発明に係るトリム操作ワイヤの側面図
【図５】本発明に係るトリム操作レバー装置およびトリム操作ワイヤの分解図
【図６】本発明に係る伸び調整手段の断面図
【図７】本発明に係るトリム操作レバー装置の第１作用図
【図８】本発明に係るトリム操作レバー装置の第２作用図
【図９】従来の左側グリップ部分の説明図
【符号の説明】
１０…小型水上艇、１４…ステアリングハンドル、１８…ジェット推進機（ウォータージェット推進機）、２１…ノズル（ステアリングノズル）、４３…トリム操作レバー（トリムレバー本体）、４４…レバーロック手段、θ…トリムスイング角。
【図１】
2004098927.tif 000003
【図２】
2004098927.tif 000004
【図３】
2004098927.tif 000005
【図４】
2004098927.tif 000006
【図５】
2004098927.tif 000007
【図６】
2004098927.tif 000008
【図７】
2004098927.tif 000009
【図８】
2004098927.tif 000010
【図９】
2004098927.tif 000011